(57)【要約】【課題】  本発明はハウス等の栽培作物への炭酸ガスの施用において、栽培作物の葉部分に効率的に炭酸ガスを施用する炭酸ガス施用装置とその施用方法を提供する。【解決手段】  炭酸ガス施用チューブとして多孔質潅水チューブを用い、下方向や横方向のみに炭酸ガスが施用できるよう炭酸ガス施用チューブの上部をカバーで覆い栽培作物に炭酸ガスを施用できる場所に設置し、電磁弁の開閉で炭酸ガス施用を制御できるようにし、タイマーで施用時間を、照度計で曇天や雨天や夕方から夜間の余分な施用を抑制するようにし、炭酸ガス濃度計で栽培作物の葉部分の炭酸ガス濃度を制御できるようにし、それぞれの制御を単独、または組み合わせることにより栽培作物の葉部分に集中的に炭酸ガスを施用し、光合成に使用されない余分な炭酸ガスの施用を抑制する。【選択図】図１
2014161337.tif 000002
【特許請求の範囲】
【請求項１】
炭酸ガス施用チューブとしてゴム製や塩化ビニル製の多孔質潅水チューブを用い、炭酸ガス施用チューブ径に合ったパイプやホースの縦方向部分の１／４〜１／２を取り去り、取り去った部分を下に向けたチューブカバーや、炭酸ガス施用チューブの上部の３／４〜１／２部分をテープで覆うテープカバーや、炭酸ガス施用チューブの上部に載せる逆凹型カバーや、炭酸ガス施用チューブが中央になるように幅が３０ｃｍから１００ｃｍの透明なシートや板で覆い炭酸ガス施用チューブの上部に流れ出る炭酸ガスを遮蔽する遮蔽カバーで下方向や横方向のみに炭酸ガスが施用できるよう炭酸ガス施用チューブの上部を覆うことを特徴とするカバー付き炭酸ガス施用チューブ。
【請求項２】
栽培作物に炭酸ガスを施用できる場所に設置したカバー付き炭酸ガス施用チューブにタイマーやシーケンサーやリレーで制御する電磁弁を接続し、電磁弁を炭酸ガスボンベや炭酸ガス貯蔵タンクに接続された流量計付き圧力調整器に接続し、電磁弁の開閉で炭酸ガスを施用することを特徴とする請求項１に記載のカバー付き炭酸ガス施用チューブと施用装置。
【請求項３】
タイマーで設定された時間帯に電磁弁の開閉を行い、炭酸ガスの施用を制御することを特徴とする請求項１〜２のいずれかに記載のカバー付き炭酸ガス施用チューブと施用装置。
【請求項４】
炭酸ガス濃度計のガス吸引口の設置場所を畝や固定された栽培ベッドや栽培ベッド移動式システムの移動する栽培ベッドで、カバー付き炭酸ガス施用チューブから一番離れた畝や栽培ベッドの端に位置する栽培作物と触れない上部あるいは横部分を代表とする場所に設置し、炭酸ガス濃度計で炭酸ガス濃度を測定し炭酸ガス濃度が設定下限濃度以下になった場合は電磁弁を開にし、設定上限濃度以上になった場合は電磁弁を閉にする制御をシーケンスによって行うことにより炭酸ガスを施用することを特徴とする請求項１〜３のいずれかに記載のカバー付き炭酸ガス施用チューブと施用装置。
【請求項５】
照度計をハウス内で栽培作物が日陰にならない場所に設置し、照度計で照度を測定し設定照度値以上になった場合は電磁弁を開にし、設定照度値より小さくなった場合は電磁弁を閉にする制御をシーケンスによって行うことにより炭酸ガスを施用することを特徴とする請求項１〜４のいずれかに記載のカバー付き炭酸ガス施用チューブと施用装置。
【請求項６】
タイマーによる施用時間制御により光合成の盛んな時間帯のみ炭酸ガス施用ができ、炭酸ガス濃度計による炭酸ガス濃度制御により栽培作物の葉部分の炭酸ガス濃度を一定濃度範囲内となるよう炭酸ガス施用量を制御し、葉の無い部分への炭酸ガスの施用を抑制することができ、照度計で一定照度値以上でのみ炭酸ガス施用することにより、曇天や雨天や夕方から夜間に炭酸ガスを施用しないようにすることができ、それぞれの制御を単独、または組み合わせることにより、光合成に使用されない余分な炭酸ガスの施用を抑制することができることを特徴とする請求項１〜５のいずれかに記載のカバー付き炭酸ガス施用チューブと施用装置を用いた施用方法。
【発明の詳細な説明】
【技術分野】
【０００１】  本発明はハウス等の栽培作物への炭酸ガスの施用において、栽培作物の葉部分に集中的に炭酸ガスを施用する炭酸ガス施用装置とその施用方法に関する。
【背景技術】
【０００２】  ハウス内の栽培作物に炭酸ガスを施用する方法としては、作物の下部に近接して送気管を設置し当該送気管から炭酸ガスを施用する方法や、炭酸ガスを新鮮な空気と混合し適正な炭酸ガス濃度にしたガスを当該送気管から施用する方法が提案されている（例えば、特許文献１参照）。
【先行技術文献】
【特許文献】
【０００３】
【特許文献１】特開昭５１−１００４４４号公報
【発明の概要】
【発明が解決しようとする課題】
【０００４】  しかしながら、特許文献１の炭酸ガスのみを施用する方法は、栽培作物に近接した場所の畝上に設置した送気管から炭酸ガスを放出し、炭酸ガスを栽培作物の葉の裏側の気孔に触れさせながら上昇させ天窓に至る迄に相当量の炭酸ガスを葉に吸収させる方法であるが、炭酸ガスの施用量を制御せず炭酸ガスを施用する方法であり、ハウス内全体に炭酸ガスを施用する方法に比べれば効率的であるが、炭酸ガス量が多すぎると必要量以上の炭酸ガスが流出してしまうという問題があった。また、新鮮な空気と混合して適正濃度とし施用する方法も、必要量以上の炭酸ガスが流出してしまうという問題があり、炭酸ガスの効率的な施用方法ではなかった。また、近年、栽培ベッドを載せた栽培ベンチを移動させることにより通路となる部分を減らし、固定式より多くの栽培ベッドを設置することができる栽培ベッド移動式システムが実用化されているが、栽培ベッドの移動の妨げになる特許文献１の方法は使用できないという問題があった。【０００５】  本発明は上記の実情に鑑みてなされたものであり、その目的はハウス等において、畝の栽培作物や地面に固定された栽培ベッドの栽培作物のみでなく、栽培ベッド移動式システムへも、栽培作物の葉部分に集中的に炭酸ガスを施用し、必要量以上の炭酸ガスの流出をできるだけ抑制する炭酸ガス施用装置とその施用方法を提供することにある。
【課題を解決するための手段】
【０００６】  上記課題を解決するため本発明の炭酸ガス施用装置では、下方向や横方向のみに炭酸ガスが施用できるよう炭酸ガス施用チューブの上部を、当該炭酸ガス施用チューブ径に合ったパイプやホースの縦方向部分の１／４〜１／２を取り去り、取り去った部分を下に向けたチューブカバーや、当該炭酸ガス施用チューブの上部の３／４〜１／２部分をテープで覆うテープカバーや、当該炭酸ガス施用チューブの上部に載せる逆凹型カバーや、当該炭酸ガス施用チューブが中央になるように幅が３０ｃｍから１００ｃｍの透明なシートや板で覆い当該炭酸ガス施用チューブの上部に流れ出る炭酸ガスを遮蔽する遮蔽カバーを使用し、炭酸ガス施用チューブとして外径１０〜３０ｍｍのゴム製や塩化ビニル製の多孔質潅水チューブを用いて、カバー付き炭酸ガス施用チューブとして使用する。パイプやホースやカバーの材質は、金属製、ゴム製、塩化ビニル製、アクリル製、ポリエチレン製等のプラスチック製のものが使用でき、シートや板の材質は、塩化ビニル製、アクリル製、ポリエチレン製等の透明なプラスチック製のものが使用できる。当該カバー付き炭酸ガス施用チューブは栽培作物に炭酸ガスを施用できる場所に設置する。炭酸ガスを当該カバー付き炭酸ガス施用チューブに流す方法は、片端を閉じ一方から流す方法や両端から流す方法がある。また、当該カバー付き炭酸ガス施用チューブを空中に吊るす梁としてカバーをそのまま使用することもできるが、栽培作物へ太陽光ができるだけあたるように粱を設置し吊るしたり、載せたりすることが望ましい。【０００７】  当該カバー付き炭酸ガス施用チューブを設置するための梁や柱を設置する場所は畝の栽培作物や固定された栽培ベッドの栽培作物や、栽培ベッド移動式システムの移動する栽培ベッドとその栽培作物の移動の妨げとならない場所とする。炭酸ガス施用装置の一部である炭酸ガス濃度計のガス吸引口の設置場所は、栽培作物の畝や固定された栽培ベッドや栽培ベッド移動式システムの移動する栽培ベッドで、当該カバー付き炭酸ガス施用チューブから一番離れた畝や栽培ベッドの端に位置する栽培作物と触れない上部あるいは横部分とする。例えばイチゴの栽培ベッド移動式システムでは、栽培ベッドにほぼ均一に炭酸ガスが施用されるよう全体の栽培ベッドの中心部近くの数箇所に当該カバー付き炭酸ガス施用チューブを設置し、栽培ベッドが周回するときに一番外側の端に位置する横移送ユニット部上の栽培ベッドの栽培作物と触れない横部分に炭酸ガス濃度計のガス吸引口を設置する。照度によって炭酸ガスの施用を制御する場合は、炭酸ガス施用装置と接続された照度計をハウス内で栽培作物が日陰にならない場所に設置する。【０００８】  炭酸ガス施用量を制御する方法は、当該カバー付き炭酸ガス施用チューブに電磁弁を接続し、電磁弁を炭酸ガスボンベや炭酸ガス貯蔵タンクに接続された流量計付き圧力調整器に接続し、施用時間を制御する場合はタイマーにより設定された時間帯に電磁弁の開閉を行うこととし、施用濃度を制御する場合は炭酸ガス濃度計で炭酸ガス濃度を測定し炭酸ガス濃度が設定下限濃度以下になった場合に当該電磁弁を開にし、設定上限濃度以上になった場合に当該電磁弁を閉にする制御をシーケンスによって行う。照度によって炭酸ガスの施用を制御する場合は照度計で照度を測定し設定照度値以上になった場合に当該電磁弁を開にし、設定照度値より小さくなった場合に当該電磁弁を閉にする制御をシーケンスによって行うようにし、必要に応じてこれらのタイマー、炭酸ガス濃度計、照度計とシーケンサーやリレーとを組み合わせて炭酸ガスの施用量を制御する。【０００９】  タイマーによる施用時間制御により光合成の盛んな時間帯にのみ炭酸ガス施用ができ、炭酸ガス濃度計による炭酸ガス濃度制御により栽培作物の葉部分の炭酸ガス濃度を一定濃度範囲内となるよう炭酸ガス施用量を制御し、必要以上の炭酸ガスの流出を抑制することができ、照度計で一定照度値以上でのみ炭酸ガス施用することにより、光合成が行われにくい曇天や雨天や夕方から夜間に炭酸ガスを施用しないようにすることができ、それぞれの制御を単独、または組み合わせることにより、光合成に必要な適正量の炭酸ガスを供給することができる。
【発明の効果】
【００１０】  本発明に係る炭酸ガス施用装置によれば、ハウス等において、畝や地面に固定された栽培ベッドの栽培作物のみでなく、栽培ベッド移動式システムのように移動する栽培ベッドの栽培作物へも光合成に必要な適正量の炭酸ガスを効率的に施用することができる。
【図面の簡単な説明】
【００１１】
【図１】栽培ベッド移動式システムでのカバー付き炭酸ガス施用チューブと施用装置
【発明を実施するための形態】
【００１２】  以下、本発明の形態を図１に基づいて説明するが、本発明はこれによって何ら限定されるものではない。
【００１３】  図１は栽培ベッド移動式システムでの炭酸ガス施用装置と４種類のカバー付き炭酸ガス施用チューブ１の図であり、カバー付き炭酸ガス施用チューブ１の（ａ）から（ｄ）は炭酸ガス施用チューブ２の上部を、（ａ）ではチューブカバー３で、（ｂ）ではテープカバー４で、（ｃ）では逆凹型カバー５で、（ｄ）では遮蔽カバー６で覆ったものである。
【００１４】  カバー付き炭酸ガス施用チューブ１は、両端から炭酸ガスを送る炭酸ガス配管７と接続され、炭酸ガス配管７にはタイマー付きシーケンサー８で制御される電磁弁９を接続し、その先に流量計付き圧力調整器１０を接続した炭酸ガスボンベ１１に接続される。タイマー付きシーケンサー８には、ガス吸引口１２付きの炭酸ガス濃度計１３が接続されている。栽培ベッド移動式システムには縦移送ユニット部１４と横移送ユニット部１５からなる栽培ベッド台１６の上に栽培作物が定植された栽培ベッド１７が隙間なく載せられ、縦移送ユニット部１４と横移送ユニット部１５により、栽培ベッド台１６上を周回しており、栽培ベッド１７の移動の妨げとならない栽培ベッド台１６上に生育した栽培作物の頂点部分と接触しない高さ位置にカバー付き炭酸ガス施用チューブ１を載せる柱を設置し、栽培ベッド１７と並行にカバー付き炭酸ガス施用チューブ１を設置し、炭酸ガス濃度計１３のガス吸引口１２を一番外側となる栽培ベッド１７の葉と触れない横部分に設置する。
【００１５】  タイマーで決定された時間帯となりガス吸引口１２部分の炭酸ガス濃度が設定下限濃度以下となったことを炭酸ガス濃度計１３が検知するとタイマー付きシーケンサー８の制御により電磁弁９が開き炭酸ガスが施用され、施用が続いた場合や曇天や雨天により光合成による炭酸ガス吸収量よりも炭酸ガス施用量が過剰となり設定上限濃度以上となったことを炭酸ガス濃度計１３が検知するとタイマー付きシーケンサー８の制御により電磁弁９を閉じる。この開閉を繰り返すことにより、所定時間帯での栽培作物の葉の部分の炭酸ガス濃度が一定濃度範囲となり、必要量以上の炭酸ガスの流出を抑制することができる。
【００１６】  本装置では省略したが、タイマーのほかにシーケンサー８に照度計を付けて設定した照度値より低い場合に炭酸ガスを流れないようにすることにより、曇天や雨天時や夕方から夜間に炭酸ガスを施用しないようにすることもできる。
【符号の説明】
【００１７】１    カバー付き炭酸ガス施用チューブ
２    炭酸ガス施用チューブ
３    チューブカバー
４    テープカバー
５    逆凹型カバー
６    遮蔽カバー
７    炭酸ガス配管
８    タイマー付きシーケンサー
９    電磁弁
１０  流量計付き圧力調整器
１１  炭酸ガスボンベ
１２  ガス吸引口
１３  炭酸ガス濃度計
１４  縦移送ユニット部
１５  横移送ユニット部
１６  栽培ベッド台
１７  栽培ベッド
【図１】
2014161337.tif 000003